(57)【特許請求の範囲】
【請求項１】
スピーカードライバーと、
該スピーカードライバーの背面に配置されると共に、その表面が凹面状とされ、該スピーカードライバーからの音波を該スピーカードライバーとは異なる方向に反射する反射壁と、
該反射壁によって反射された音波がその内部に進むに従って開口面積が小さくなるよう形成された音波収束部とを備えることを特徴とするスピーカー。
【請求項２】
前記凹面状の反射壁の焦点が直線となることを特徴とする請求項１に記載のスピーカー。
【請求項３】
前記反射壁がスピーカーの内側壁と所要の距離の空隙を有し、前記反射壁の前記スピーカードライバーと反対側の空間が閉塞されていないことを特徴とする請求項１に記載のスピーカー。
【発明の詳細な説明】
【技術分野】
【０００１】  本発明はスピーカーに関する。
【背景技術】
【０００２】  一般的にスピーカードライバーはその背面から放出される音波を囲い込むようにスピーカーボックスに取付けられている。スピーカードライバー背面から放出された音波はスピーカーボックスの後面に反射され、スピーカードライバーに戻ることで、スピーカードライバーに悪影響を及ぼすため、スピーカーボックスの内面には吸音材が設けられ、スピーカードライバーの背面からの音波を吸音材によって吸収させる。【０００３】  一方、イギリス特許公開第２２９０６７２号（以下、特許文献１と云う）において、スピーカードライバーの背面にテーパー状のチューブを設け、スピーカードライバー背面から放出される音波をスピーカードライバーに戻さない技術が開示されている。
【先行技術文献】
【特許文献】
【０００４】
【特許文献１】  イギリス特許公開第２２９０６７２号
【発明の概要】
【発明が解決しようとする課題】
【０００５】  しかしながら、特許文献１においては先細りのテーパー状のキャビネットの長さが長くなる結果、スピーカーが大きくなる。特許文献１においてはこの長いキャビネットを渦巻き状にすることにより、その大きさをコンパクトにすることも開示されてはいるものの、実際にその形状を形成するには一般的な木製キャビネットで形成することが非常に困難であり、大きさ及びコストの面で課題を有する。
【課題を解決するための手段】
【０００６】  前述の課題を解決するため、本発明においてはスピーカードライバーと、スピーカードライバーの背面に配置されると共に、その表面が凹面状とされ、スピーカードライバーからの音波を該スピーカードライバーとは異なる方向に反射する反射壁と、反射壁によって反射された音波がその内部に進むに従って開口面積が小さくなるよう形成された音波収束部とを備える。【０００７】  また第２の課題解決手段は、凹面状の反射壁の焦点が直線に構成することである。【０００８】  また第３の課題解決手段は、凹面状の反射壁がスピーカーの内側壁と所要の距離の空隙を有し、反射壁のスピーカードライバーと反対側の空間が閉塞されていない構成をとることである。
【発明の効果】
【０００９】  上述の構成により、スピーカードライバーの背面から放出される音波を反射壁で反射させて収束部に収束させることにより、吸音材を使用することなくスピーカードライバーの背面から放出された音波をスピーカードライバーに戻ることを防止し、優れた音質のスピーカーの実現に寄与する。
【図面の簡単な説明】
【００１０】
【図１】本発明の実施形態を示すスピーカーの正面図。
【図２】図１に示すＡ−Ａ線断面図。
【図３】図１におけるＢ−Ｂ線断面図。
【図４】図１におけるＣ−Ｃ線断面図。
【発明を実施するための形態】
【００１１】  以下、本発明の実施形態を図１乃至図４に基づき説明する。図１は本発明の一実施例におけるスピーカー１の正面図である。スピーカー１の正面に位置するバッフル板２には、ウーファー３とツイーター４が配置されている。ツイーター４はドーム型の振動板５を有し、またウーファー３はコーン型の振動板６を有する。
【００１２】  本実施例において、スピーカー１はバスレフ型で構成され、所定の周波数にチューニングされたバスレフポート７を備える。
【００１３】  スピーカー１の内部において、ウーファー３の背面には図１のＡ−Ａ線断面である図２に示すように、円筒の一部を切り取ったような凹面鏡状に形成された反射壁８が備えられている。反射壁８の表面は二次関数の曲線で形成され、破線で示すようにウーファー３の振動板６からウーファー３の振動軸と平行に放出された音波は反射壁８によって反射される。
【００１４】  図１におけるＢ−Ｂ線断面図である図３に示すように、反射壁８はスピーカー１の右側内部壁面９及び左側内部壁面１０に接することなくそれぞれ空隙１１、１２が設けられている。
【００１５】  この構造により、反射壁８の裏側の空間１３は独立することなく、ウーファー３及びツイーター４の後ろ側の空間と空隙１１、１２を介して一体となるため、空間１３もウーファー３のバックキャビティとして機能し、反射壁８をスピーカー１の内部に設けることによるスピーカー１のキャビティ容積の減少を回避できる。
【００１６】  図２において、反射壁８によって反射されたウーファー３の振動軸と並行に発せられた音波は、Ａ−Ａ線断面図である図２に示すように、音波が進むにつれて互いの距離が小さくなるようホーン形状に形成された２枚の音波収束壁１４、１５で囲まれた空間内部に向かい、ホーン形状の最奥部２１に達する。
【００１７】  音波収束壁１４、１５はウーファー３の振動軸線が反射壁８で反射された一点鎖線で示す軸線１６に対して線対称の形状で形成されている。また、音波収束壁１４、１５は軸線１６に対して指数関数で示される形状とされ、反射壁８から最奥部２１に向かって徐々にその間隔が指数関数状に狭くなる。
【００１８】  この構成により、反射壁８で反射された音波は最奥部２１に向かっていくにつれ、徐々に音波から圧力に変換され、最奥部２１に到達した時点でスピーカー１の内壁を押す力に変換される。
【００１９】  また図１におけるＣ−Ｃ線断面図である図４に示すように、音波収束壁１４、１５は反射壁８と同様、スピーカー１の右側内部壁面９及び左側内部壁面１０に接することなくそれぞれ空隙１７、１８が設けられている。
【００２０】  この構造により、音波収束壁１４の裏側の空間１９と音波収束壁１５の裏側の空間２０は独立することなく、ウーファー３及びツイーター４の後ろ側の空間と空隙１７、１８を介して一体となるため、空間１９、２０もウーファー３のバックキャビティとして機能し、音波収束壁１４、１５をスピーカー１の内部に設けることによるスピーカー１のキャビティ容積の減少を回避できる。
【００２１】  上述の実施例においては、反射壁８は球面の一部ではなく、円筒の一部を切り取った凹面形状とされている。従って、図２においてウーファー３から平行に放出された音波は最奥部２１で収束するが、この最奥部２１は図４に示すように一直線状となる。
【００２２】  一方、反射壁８を球形の一部を切り取った球面鏡で構成することも可能である。その場合、収束部は上述の実施例の如く直線ではなく点になる。これに伴い、音波収束壁１４、１５は先端に向かうに従い指数関数的に先細になるチューブ状に形成するのが好適である。
【００２３】  また上述に実施例においては反射壁８をウーファー３に対して設けていたが、本発明はこれに限定されることなくフルレンジスピーカーや他の形式のスピーカードライバーに適用可能である。
【符号の説明】
【００２４】１  スピーカー
２  バッフル板
３  ウーファー
４  ツイーター
８  反射壁
１１、１２  空隙
１４、１５  音波収束壁
１７、１８  空隙
２１  最奥部
【図１】
0006273407.tif 000002
【図２】
0006273407.tif 000003
【図３】
0006273407.tif 000004
【図４】
0006273407.tif 000005